(57)【要約】【課題】オフラインの環境にある測定装置からの出力情報を外部の機器に送信する場合に、出力情報のデータ量にかかわらず、確実に外部に持ち出す。【解決手段】出力情報読み取りシステムは、測定部１１からの出力情報を複数に分割して複数の２次元コードに生成する２次元コード生成部１２と、前記複数の２次元コードを所定間隔毎に切り替えて表示する表示部１４を備えた測定装置１と、前記表示部１４に表示された複数の２次元コードを撮影する撮影部２１と、前記撮影部で撮影した情報から前記複数の２次元コードを抽出する２次元コード抽出部２２と、抽出した前記複数の２次元コードを解析して元の出力情報に合成する２次元コード解析部２３を備えた携帯型端末装置２を有する。【選択図】  図１
2018055594.tif 000002
【特許請求の範囲】
【請求項１】
測定部からの出力情報を複数に分割して複数の２次元コードに生成する２次元コード生成部と、  前記複数の２次元コードを順次切り替えて表示する表示部を備えた測定装置と、
前記複数の２次元コードを撮影する撮影部と、前記撮影部で撮影した情報から前記複数の２次元コードを抽出する２次元コード抽出部を備えた携帯型端末装置と、
を有する出力情報読み取りシステム。
【請求項２】
前記携帯型端末装置は、さらに、前記２次元コード抽出部で抽出した前記複数の２次元コードを解析して元の出力情報に合成する２次元コード解析部を含む
ことを特徴とする請求項１に記載の出力情報読み取りシステム。
【請求項３】
前記複数の２次元コードは、前記表示部に指定された所定間隔毎に切り替えて表示される
ことを特徴とする請求項１乃至２に記載の出力情報読み取りシステム。
【請求項４】
所定間隔の異なる複数のテストパターンを前記表示部に表示させ、前記撮影部で撮影して夫々のテストパターンの読み取り結果に基づいて、前記複数の２次元コードを所定間隔を決定する
ことを特徴とする請求項１乃至３に記載の出力情報読み取りシステム。
【請求項５】
前記撮影部は、
前記表示部に表示された前記複数の２次元コードを静止画として撮影する
ことを特徴とする請求項１乃至４に記載の出力情報読み取りシステム。
【請求項６】
前記撮影部は、
前記表示部に表示された前記複数の２次元コードを動画として撮影する
ことを特徴とする請求項１乃至４に記載の出力情報読み取りシステム。
【請求項７】
前記２次元コード生成部は、前記複数の２次元コード内に分割した２次元コードの配列順序の情報を追加する
ことを特徴とする請求項１乃至６のいずれかに記載の出力情報読み取りシステム。
【請求項８】
前記携帯型端末装置には、前記複数の２次元コードを抽出後に読み取りができなかった２次元コードの前記配列順序の情報が表示され、前記読み取りができなかった２次元コードの前記配列順序の情報に基づいて、前記読み取りができなかった２次元コードを前記表示部に表示させる
ことを特徴とする請求項７に記載の出力情報読み取りシステム。
【請求項９】
前記２次元コード生成部は、前記複数の２次元コード内に分割した２次元コードの数の情報を追加する
ことを特徴とする請求項１乃至８に記載の出力情報読み取りシステム。
【請求項１０】
前記表示部は、前記分割した２次元コードの数の情報を表示後に前記複数の２次元コードを所定間隔毎に切り替えて表示する
ことを特徴とする請求項１乃至８に記載の出力情報読み取りシステム。
【請求項１１】
測定部からの出力情報を取得するステップと、
取得した前記出力情報を複数に分割して複数の２次元コードに生成するステップと、
前記複数の２次元コードを所定間隔毎に切り替えて表示するステップと、
前記複数の２次元コードを携帯型端末装置の撮影部で撮影するステップと、
前記撮影部で撮影した情報から前記複数の２次元コードを抽出するステップと、
抽出した前記複数の２次元コードを解析して元の出力情報に合成するステップ
を有する出力情報読み取り方法。
【発明の詳細な説明】
【技術分野】
【０００１】
本発明はオフラインの環境にある測定装置からの出力情報、携帯型端末装置に送信する為の出力情報読み取りシステムに関するものである。
【背景技術】
【０００２】
分光光度計等のオフラインの環境にある測定装置において、作業者が定期的に装置の点検等を行い、その出力情報を管理サーバに蓄積し、故障等のチェックを行っている。
【０００３】
このような出力情報を収集する手段に装置のセキュリティの関係上、ＵＳＢメモリ等の外部記録媒体や通信回線を利用できない。そのため、作業者は、点検結果等の出力情報を目視で確認して、紙や携帯型端末装置等に入力している。しかし、出力情報の入力ミス等のおそれがあるため、出力情報を２次元バーコードに変換のうえ表示装置に出力して、作業者が所有するカメラ付き携帯電話で読み取ることで、記入ミスすることなく出力情報を外部へ持ち出す手段が考えられている。
【先行技術文献】
【特許文献】
【０００４】
【特許文献１】特開２００７−６６０２０号  公報
【発明の概要】
【発明が解決しようとする課題】
【０００５】
しかしながら、特許文献１記載の方法では、出力情報のデータ量が膨大となる場合、２次元バーコードが取り扱えるデータ量を超えてしまう。
【０００６】
そこで、本発明では、前記した問題を解決し、出力情報のデータ量にかかわらず外部にデータを持ち出すことができる技術を提供することを目的とする。
【課題を解決するための手段】
【０００７】
本発明の出力情報読み取りシステムは、測定部からの出力情報を複数に分割して複数の２次元コードを生成する２次元コード生成部と、前記複数の２次元コードを所定間隔毎に切り替えて表示する表示部を備えた測定装置と、前記複数の２次元コードを撮影する撮影部と、前記撮影部で撮影した情報から前記複数の２次元コードを抽出する２次元コード抽出部を備えた携帯型端末装置を有する。
【０００８】
さらに、携帯側端末装置に、抽出した前記複数の２次元コードを解析して元の出力情報に合成する２次元コード解析部を備えてもよい。
【０００９】
本発明の出力情報読み取り方法は、測定部からの出力情報を取得するステップと、取得した前記出力情報を複数に分割して複数の２次元コードに生成するステップと、前記複数の２次元コードを所定間隔毎に切り替えて表示するステップと、前記複数の２次元コードを携帯型端末装置の撮影部で撮影するステップと、前記撮影部で撮影した情報から前記複数の２次元コードを抽出するステップと、抽出した前記複数の２次元コードを解析して元の出力情報に合成するステップを有する。
【発明の効果】
【００１０】
以上説明したように、本発明は、出力情報のデータ量にかかわらずオフラインで外部に送信することができる。
【図面の簡単な説明】
【００１１】
【図１】本発明における出力情報読み取りシステムのブロック図である。
【図２】表示部に２次元コードを表示させる一例を示す概念図である。
【図３】本発明の第一の実施形態に係る出力情報を２次元コードとして読み取る手順のフローチャートである。
【図４】本発明の第二の実施形態に係る出力情報を２次元コードとして読み取る手順のフローチャートである。
【発明を実施するための形態】
【００１２】
以下、本実施の形態における出力情報読み取りシステムを図面に基づいて説明する。
図１に示すとおり出力情報読み取りシステムは、測定装置１、作業者が測定装置１内の測定部１１の状態を定期的に点検した結果を出力情報として収集する為の携帯型端末装置２、携帯型端末装置２で収集した出力情報を、通信回線３を介して保存する管理サーバ４からなる。なお、出力情報は測定部１１の状態を点検した結果を一例として説明しているが、測定部１１の測定結果や、その他の情報であってもよい。さらに、通信回線３は一例であって、有線ケーブルや記録媒体を経由してもよい。
【００１３】
測定装置１は、対象物を測定する測定部１１の他に、作業者が測定部１１から得た出力情報を２次元コードに変換する２次元コード生成部１２と、出力情報や２次元コード等を保存する記憶部１３と、２次元コードをディスプレイ等に表示する表示部１４と、これら構成要素を制御するための制御部１５を少なくとも備えている。
【００１４】
携帯型端末装置２は、測定装置１の表示部１４に撮影された２次元コードを静止画若しくは動画で撮影するカメラ等の撮影部２１と、撮影情報から２次元コードを抽出する２次元コード抽出部２２と、２次元コード抽出部２２で抽出した２次元コードを解析して元の出力情報に戻す２次元コード解析部２３と、撮影した２次元コードや２次元コードを変換して得た測定部１１からの出力情報を記憶する記憶部２４と、記憶部２４の情報をディスプレイ等に表示する表示部２５と、これら構成要素を制御するための制御部２６を少なくとも備えている。
【００１５】
測定部１１から得られた出力情報は、２次元コード生成部１２によって、Ｙ個のデータに分割された後にＹ個の２次元コードに変換される。なお、Ｙ個の２次元コードには、２次元コードの数や配列順序を示す情報も含まれる。
【００１６】
Ｙ個の２次元コードを表示部１４に表示する方法の一例を図２に示す。ＡからＹ迄分割して生成されたＹ個の２次元コードは、２次元コードの大きさによって、表示部１４に一度に表示することができない。そのため、作業者が指定、若しくは、あらかじめ指定された所定間隔ｎ（例えば２秒）毎にＡ，Ｂ，Ｃと順次自動的に切り替わって表示部１４に表示される。２次元コードがＹ迄表示された後は、再び、２次元コードＡが表示され、指定された時間若しくは指定された回数の間、Ｙ個の２次元コードの切り替え表示が繰り返し行われる。なお、２次元コードの表示を所定間隔毎に切り替えると説明したが、２次元コードを表示する時間を操作手段によって手動で終了するまで表示させるようにしてもよいし、図示しない操作手段によって手動で切り替えるようにしてもよい。
【００１７】
次に、図３に示すフローチャートで、本発明の第一の実施形態として、２次元コードの読み取り手順を説明する。
作業者が測定部１１を定期的に点検し、その点検結果は、出力情報として取得して記憶部１３に保存される（Ｓ１００）。
【００１８】
さらに、出力情報は、２次元コード生成部１２によって、Ｙ個のデータに分割され、Ｙ個のデータの配列順序を示す情報と併せてＹ個の２次元コードに変換される（Ｓ１０１）。
【００１９】
２次元コード生成部１２で生成されたＹ個の２次元コードは、作業者の指示に従って表示部１４に所定間隔毎に切り替わりながら表示される（Ｓ１０２）。
【００２０】
作業者は、表示部１４に表示された２次元コードを携帯型端末装置２の撮影部２１で撮影し（Ｓ１１０）、２次元コード抽出部２２で撮影情報から２次元コードを抽出する（Ｓ１１１）。そして、２次元コード抽出部２２で抽出された２次元コードが、既に抽出済みの場合は、継続して撮影を続け（Ｓ１１２；Ｎ）、抽出していない２次元コードであった場合のみ次のステップに進む（Ｓ１１２；Ｙ）。
【００２１】
２次元コード解析部２３では、抽出した２次元コードを解析して元のデータと、２次元コードの数や配列順序を示す情報に戻される（Ｓ１１３）。そして、２次元コードの数の情報と撮影した２次元コードの数を比較し、一致しない場合は引き続き撮影を継続する（Ｓ１１４；Ｎ）。なお、表示部１４への２次元コードの表示が、一定時間若しくは一定回数のみ表示するよう設定している場合は、表示部１４への２次元コードの表示が終了した後に読み取りできなかった２次元コードの配列順序を示す情報を携帯型端末装置２に表示させ、作業者の操作によって表示部１４に該当する２次元コードをさせた後に、携帯型端末装置２で読み取らせるようにしてもよい。
【００２２】
２次元コードの数と撮影した２次元コードの数が一致した場合（Ｓ１１４；Ｙ）は、Ｙ個のデータを１つの出力情報に合成し（Ｓ１１５）、携帯型端末装置２へ測定部１１の出力情報を送信する作業が完了する。
【００２３】
次に、図４に示すフローチャートで、本発明の第二の実施形態として、２次元コードの読み取り手順を説明する。本発明の第二の実施形態では、分割された２次元コードの数の情報を２次元コードに追加せずに表示部に表示部に表示する点が、本発明の第一の実施形態と異なる。
【００２４】
作業者が測定部１１を定期的に点検し、その結果を出力情報として取得して記憶部１３に保存される（Ｓ２００）。
【００２５】
測定部１１からの出力情報は、２次元コード生成部１２によってＹ個のデータに分割され、データの配列順序を示す情報と併せてＹ個の２次元コードに変換される（Ｓ２０１）。
【００２６】
表示部１４には生成された２次元コードの数が表示され（Ｓ２０２）、作業者は、携帯型端末装置２に、表示部に表示された２次元コードの数を入力する（Ｓ２１０）。続いて、２次元コードの数を入力し終わると、表示部１４に２次元コード生成部１２で生成されたＹ個の２次元コードが、作業者の指示に従って表示部１４に所定間隔毎に切り替わりながら表示される（Ｓ２０３）。
【００２７】
作業者は、表示部１４に表示された２次元コードを携帯型端末装置２の撮影部２１で表示部に表示された２次元コードを撮影し（Ｓ２１１）、２次元コード抽出部２２によって撮影情報から複数の２次元コードを抽出する（Ｓ２１２）。
【００２８】
２次元コード抽出部２２で抽出された２次元コードが、既に抽出済みの２次元コードであった場合は、継続して撮影を続け（Ｓ２１３；Ｎ）、抽出していない２次元コードであった場合のみ次のステップに進み（Ｓ２１３；Ｙ）、抽出した２次元コードの数が携帯型端末装置２に入力した２次元コードの数に達するまで表示部１４の撮影を続け（Ｓ２１４；Ｎ）、達した場合は次のステップに進む（Ｓ２１４；Ｙ）。なお、表示部１４への２次元コードの表示が、一定時間若しくは一定回数のみ表示するよう設定している場合は、表示部１４への２次元コードの表示が終了した後に読み取りできなかった２次元コードの配列順序を示す情報を携帯型端末装置２に表示させ、作業者の操作によって表示部１４に該当する２次元コードをさせた後に、携帯型端末装置２で読み取らせるようにしてもよい。
【００２９】
２次元コード解析部２３は、抽出した２次元コードを解析して元のデータと、配列順序を示す情報に戻される（Ｓ２１４）、Ｙ個のデータが１つの出力情報に合成され（Ｓ２１６）、携帯型端末装置２へ測定部１１の出力情報を送信する作業が完了する。
【００３０】
なお、図３及び図４の説明では分割した２次元コードの数に達するまで表示部にはＹ個の２次元コードが所定間隔毎に切り替わりながら表示されるが、作業環境の明るさ等の状況によっては、撮影部の認識に時間がかかる場合があるため、所定間隔を作業者が自由に設定できるようにしてもよい。その場合、読み取り作業前に、２次元パターンの切り替わる所定間隔が異なるいくつかのテストデータを表示部１４に順番に表示させて、撮影部２１でテスト撮影し、最も適した所定間隔を決定してもよい。
【００３１】
以上説明したように、本発明によれば、オフラインの環境にある測定装置からの出力情報を外部の機器に送信する場合に、出力情報のデータ量にかかわらず、確実に外部に持ち出すことができる。
【符号の説明】
【００３２】
１    測定装置
１１    測定部
１２    ２次元コード生成部
１３    記憶部
１４    表示部
１５    制御部
２    携帯型端末装置
２１    撮影部
２２    ２次元コード抽出部
２３    ２次元コード解析部
２４    記憶部
２５    表示部
２６    制御部
３    通信回線
４    管理サーバ
【図１】
2018055594.tif 000003
【図２】
2018055594.tif 000004
【図３】
2018055594.tif 000005
【図４】
2018055594.tif 000006